(57)【要約】【課題】ガラス板から離れて搬送される原稿を、焦点距離を補正せずに読み取ることができるシート材搬送装置、及びこれを備えた画像形成装置を得る。【解決手段】自動原稿搬送装置へ原稿シート材Ｐをセットしてスタートボタンを押すと、駆動プーリ７０が回転し、読取ユニット１４の側面１５Ｂに設けられた回転ローラ６６が傾斜部６０Ｂを上ることで、連結ブラケット４０と受部材６２の間に設けられたコイルスプリング６４が縮みながら読取ユニット１４が持ち上がる。そして、回転ローラ６６が持上部６０Ａに達して読取ユニット１４は、読取位置へと移動する。このように、読取ユニット１４を持上げるため、光学系を調整して焦点距離を補正することなくガラス板から離れた原稿読取位置Ｒの画像情報を読み取ることができる。【選択図】図１
2008124623.tif 000002
【特許請求の範囲】
【請求項１】
原稿が載せられる光透過板と、
前記光透過板に載せられた原稿を押圧する原稿押圧部材と、
前記光透過板の上方の原稿読取位置に原稿を搬送する原稿搬送装置と、
原稿を光透過板の下面から読み取る読取ユニットと、
前記読取ユニットを前記光透過板に沿って移動させる移動手段と、
前記原稿読取位置に向って前記光透過板を持上げる持上手段と、
を備えた画像読取装置。
【請求項２】
前記移動手段は、回転駆動する駆動プーリと、回転自在に設けられた従動プーリと、前記駆動プーリと前記従動プーリに巻き掛けられた無端ベルトと、前記読取ユニットを前記無端ベルトに連結すると共に、前記読取ユニットに対し上下に移動可能に取り付けられた連結手段と、前記読取ユニットの移動方向に沿って配置されたレールと、前記読取ユニットに取付けられ、前記レール上を走行する回転体と、を備え、
前記持上手段は、前記レールの端部に形成され、前記原稿読取位置に向って折れ曲がる停止レール部であることを特徴とする請求項１記載の画像読取装置。
【請求項３】
前記移動手段は、回転駆動する駆動プーリと、回転自在に設けられた従動プーリと、前記駆動プーリと前記従動プーリに巻き掛けられた無端ベルトと、前記読取ユニットを前記無端ベルトに連結すると共に、前記読取ユニットに対し上下に移動可能に取り付けられる連結手段と、前記読取ユニットの移動方向に沿って配置されたレールと、前記読取ユニットに取付けられ、前記レール上に沿って走行するカムと、を備え、
前記持上手段は、前記カムを前記原稿読取位置で回転させる駆動手段であることを特徴とする請求項１記載の画像読取装置。
【請求項４】
前記移動手段は、回転駆動する駆動プーリと、回転自在に設けられた従動プーリと、前記駆動プーリと前記従動プーリに巻き掛けられた無端ベルトと、前記読取ユニットを前記無端ベルトに連結すると共に、前記読取ユニットに対し上下に移動可能に取り付けられた連結手段と、前記読取ユニットの移動方向に沿って配置されたレールと、前記読取ユニットに取付けられ、前記レール上を走行する回転体と、を備え、
前記持上手段は、前記移動手段によって移動する前記読取ユニットに押圧されて回動する回動アームと、前記回動アームと一体に回動して前記読取ユニットの底面に当り、前記読取ユニットを持上げる持上アームと、を備えることを特徴とする請求項１記載の画像読取装置。
【請求項５】
前記連結手段は、バネ材で前記読取ユニットに連結されていることを特徴とする請求項２乃至４何れか１項に記載された画像読取装置。
【請求項６】
請求項１乃至５何れか１項に記載された画像読取装置を備えることを特徴とする画像形成装置。
【発明の詳細な説明】
【技術分野】
【０００１】
本発明は、原稿に記録されている画像を読み取る画像読取装置、及びこれを備えた画像形成装置に関する。
【背景技術】
【０００２】
画像読取装置には、原稿シート材をガラス板上に載せて、読取ユニットをガラス板に沿って走行させて原稿シート材の画像を読み取る機能と、自動原稿搬送装置で原稿シート材をガラス板の上方を通過させて、停止した読取ユニットで読み取る機能を備えたものがある。
【０００３】
自動原稿搬送装置で原稿シート材を搬送して画像を読み取る場合、ガラス板上の原稿シート材を読み取る場合と比較して、読み取られる原稿シート材がガラス板から上方へ離れるため、焦点距離を光学系で補正して原稿を読み取るようになっている。（特許文献１）
【特許文献１】特開２０００−９２２６８公報
【発明の開示】
【発明が解決しようとする課題】
【０００４】
しかしながら、この方法では、焦点距離を補正しなければならないため、読取ユニットが高価で複雑な機構となる。
【０００５】
本発明は上記事実を考慮して、ガラス板等の光透過板から離れて搬送される原稿を、焦点距離を補正せずに読み取ることが課題である。
【課題を解決するための手段】
【０００６】
本発明の請求項１に係る画像読取装置は、原稿が載せられる光透過板と、前記光透過板に載せられた原稿を押圧する原稿押圧部材と、前記光透過板の上方の原稿読取位置に原稿を搬送する原稿搬送装置と、原稿を光透過板の下面から読み取る読取ユニットと、前記読取ユニットを前記光透過板に沿って移動させる移動手段と、前記原稿読取位置に向って前記読取ユニットを持上げる持上手段と、を備えたことを特徴とする。
【０００７】
上記構成によれば、移動手段が読取ユニットを光透過板に沿って移動させ、読取ユニットが光透過板に載せられた原稿の画像情報を読み取る。
【０００８】
また、持上手段が読取ユニットを持上げて、原稿搬送装置によって光透過板の上方の原稿読取位置に搬送される原稿の画像情報を読み取る。
【０００９】
つまり、原稿搬送装置によって搬送された原稿読取位置と光透過板との距離だけ、持上手段が読取ユニットを持上げることで、読取ユニットの光学系及び結像レンズ等を制御して焦点距離を補正せずに、光透過板から離れて搬送される原稿を、読み取ることができる。
【００１０】
本発明の請求項２に係る画像読取装置は、請求項１記載において、前記移動手段は、回転駆動する駆動プーリと、回転自在に設けられた従動プーリと、前記駆動プーリと前記従動プーリに巻き掛けられた無端ベルトと、前記読取ユニットを前記無端ベルトに連結すると共に、前記読取ユニットに対し上下に移動可能に取り付けられた連結手段と、前記読取ユニットの移動方向に沿って配置されたレールと、前記読取ユニットに取付けられ、前記レール上を走行する回転体と、を備え、前記持上手段は、前記レールの端部に形成され、前記原稿読取位置に向って折れ曲がる停止レール部であることを特徴とする。
【００１１】
上記構成によれば、駆動プーリが回転し、駆動プーリと従動プーリに巻き掛けられた無端ベルトを回転させる。無端ベルトには、連結手段によって読取ユニットが上下に移動可能に取付けられている。これにより読取ユニットと無端ベルトの上下相対位置が変わっても読取ユニットはガラス板に沿って移動可能となっている。また、読取ユニットの移動方向に沿って配置されたレール上には、読取ユニットに取り付けられた回転体が走行可能に配置されている。
【００１２】
さらに、このレールの端部には原稿読取位置へ向って折れ曲がる停止レール部が形成されている。つまり、回転体がレール上を走行して停止レール部へ移動することで読取ユニットが原稿読取位置に向ってガラス板側へ持上げられ、光学的に焦点距離を補正しなくても原稿搬送装置から搬送される原稿の画像情報を読み取ることができる。
【００１３】
本発明の請求項３に係る画像読取装置は、請求項１記載において、前記移動手段は、回転駆動する駆動プーリと、回転自在に設けられた従動プーリと、前記駆動プーリと前記従動プーリに巻き掛けられた無端ベルトと、前記読取ユニットを前記無端ベルトに連結すると共に、前記読取ユニットに対し上下に移動可能に取り付けられる連結手段と、前記読取ユニットの移動方向に沿って配置されたレールと、前記読取ユニットに取付けられ、前記レール上に沿って走行するカムと、を備え、前記持上手段は、前記カムを前記原稿読取位置で回転させる駆動手段であることを特徴とする。
【００１４】
上記構成によれば、駆動プーリが回転し、駆動プーリと従動プーリに巻き掛けられた無端ベルトを回転させる。無端ベルトには、連結手段によって読取ユニットが上下に移動可能に取付けられている。これにより読取ユニットと無端ベルトの上下相対位置が変わっても読取ユニットはガラス板に沿って移動可能となっている。また、読取ユニットの移動方向に沿って配置されたレール上には、読取ユニットに取り付けられたカムが走行する。
【００１５】
また、読取ユニットが原稿読取位置に移動してくると、駆動手段がカムを回転させて読取ユニットを持上げる。このように、その場で読取ユニットを持上げることができるため、レールにスロープを設ける必要が無く、画像形成装置を小型化することができる。
【００１６】
本発明の請求項４に係る画像読取装置は、請求項１記載において、前記移動手段は、回転駆動する駆動プーリと、回転自在に設けられた従動プーリと、前記駆動プーリと前記従動プーリに巻き掛けられた無端ベルトと、前記読取ユニットを前記無端ベルトに連結すると共に、前記読取ユニットに対し上下に移動可能に取り付けられた連結手段と、前記読取ユニットの移動方向に沿って配置されたレールと、前記読取ユニットに取付けられ、前記レール上を走行する回転体と、を備え、前記持上手段は、前記移動手段によって移動する前記読取ユニットに押圧されて回動する回動アームと、前記回動アームと一体に回動して前記読取ユニットの底面に当り、前記読取ユニットを持上げる持上アームと、を備えることを特徴とする。
【００１７】
上記構成によれば、駆動プーリが回転し、駆動プーリと従動プーリに巻き掛けられた無端ベルトを回転させる。無端ベルトには、連結手段によって読取ユニットが上下に移動可能に取付けられている。これにより読取ユニットと無端ベルトの上下相対位置が変わっても読取ユニットはガラス板に沿って移動可能となっている。また、読取ユニットの移動方向に沿って配置されたレール上には、読取ユニットに取り付けられた回転体が走行可能に配置されている。
【００１８】
また、読取ユニットが原稿読取位置に移動してくると、読取ユニットは回動アームを押圧する。回動アームは回動して持上アームを回動させる。持上アームは回動して読取ユニットの底面に当り、読取ユニットを持上げる。このように、無端ベルトの回転力を利用して読取ユニットを持上げることができるため、別途駆動手段を必要としない。
【００１９】
本発明の請求項５に係る画層読取装置は、請求項２乃至４何れか１項において、前記連結手段は、バネ材で前記読取ユニットに連結されていることを特徴とする。
【００２０】
上記構成によると、バネ材が読取ユニットの走行時の振動を吸収し、読取ユニットは、安定した状態で原稿の画像情報を読み取ることができる。
【００２１】
本発明の請求項６に係る画像形成装置は、請求項１乃至５何れか１項に記載された画像読取装置を備えることを特徴とする。
【００２２】
上記構成によれば、画像形成装置は、請求項１乃至５何れか１項に記載の画像読取装置を備えているため、光透過板から離れて搬送される原稿を、光学的な補正をせずに読み取ることができ、黒スジ等が発生しない質の高い出力画像を得ることができる。
【発明の効果】
【００２３】
本発明によれば、ガラス板等の光透過板から離れて搬送される原稿を、焦点距離を補正せずに読み取ることができる。
【発明を実施するための最良の形態】
【００２４】
本発明の第１実施形態に係る画像読取装置１０が採用された画像形成装置１００について図１〜図５に従って説明する。
【００２５】
図５に示されるように、画像形成装置１００の筐体１０２内の下部には、給紙カセット１８が配置されており、給紙カセット１８には、画像形成装置１００の画像形成部１１１に供給されるシート材Ｐが積載されている。
【００２６】
さらに、給紙カセット１８には、シート材Ｐが載るボトムプレート１６が設けられており、画像形成部１１１にシート材Ｐを給紙する際には、ボトムプレート１６は、昇降手段（図示省略）によって、上方に移動するようになっている。そして、ボトムプレート１６に載せられた最上部のシート材Ｐをピックアップロール１３２に押し当てる構成となっている。さらに、給紙カセット１８を筐体１０２から引き出すとボトムプレート１６は、昇降手段によって、下方へ移動し、シート材Ｐを給紙カセット１８に収納することができる構成となっている。
【００２７】
また、画像形成部１１１へシート材Ｐを送り出す時は、シート材Ｐは、ピックアップロール１３２によって順次取り出され、さらに、回転駆動する給紙ロール１２２と分離ロール２２によって、一枚ずつ搬送されるようになっている。
【００２８】
また、筐体１０２内の所定位置には、搬送ロール１０６が配置されており、シート材Ｐを搬送する搬送経路１０８を構成している。また、搬送経路１０８の両側に配置されたガイド部材１２８はシート材Ｐを搬送経路１０８に沿って案内するようになっている。なお、以下において、単に「上流」、「下流」というときは、シート材Ｐの搬送方向の上流及び下流をそれぞれ意味するものとする。
【００２９】
搬送経路１０８の途中には、感光体ドラム１１０がシート材Ｐに接触するように配置されており、シート材Ｐに接触しつつ回転するようになっている。感光体ドラム１１０の表面は、図示しない帯電装置で帯電された後、露光装置１１２によって画像情報に応じたレーザービームが照射されて静電潜像が形成される。そしてこの静電潜像に対し現像装置１１４からトナーが供給され、静電潜像はトナー像として可視化される。
【００３０】
画像形成部１１１は、感光体ドラム１１０と転写ロール１３０とで構成されており、感光体ドラム１１０は、転写ロール１３０との間でシート材Ｐを挟持して、シート材Ｐに密着する。これにより、感光体ドラム１１０上のトナー像がシート材Ｐに転写され、シート材Ｐに画像が形成される。
【００３１】
さらに、感光体ドラム１１０の下流側には、定着装置１１６が配置されている。この定着装置１１６は、内部にヒータを備えた加熱ロール１１６Ｈと、加熱ロール１１６Ｈに圧接される加圧ロール１１６Ｎとを備えている。そして、これら２つのロールでシート材Ｐを挟持搬送することでシート材Ｐを加熱し、シート材Ｐのトナー像をシート材Ｐに定着させる。
【００３２】
定着装置１１６の下流側には、排出ロール１１８が配置されており、トナー像が定着されたシート材Ｐは、排出ロール１１８によって筐体１０２の上方に設けられた排出トレイ１２６へ排出される構成となっている。
【００３３】
また、排出トレイ１２６の上方には、原稿シート材Ｐの画像情報を読み取る画像読取装置１０が設けられており、画像読取装置１０は、原稿シート材Ｐが載せられるガラス板としてのプラテンガラス２４を備えている。
【００３４】
また、このプラテンガラス２４の上側には、開閉可能にプラテンガラス２４を覆う原稿押圧部材としてのプラテンカバー２６が設けられており、プラテンカバー２６の内部には、複数毎の原稿を自動でプラテンガラス２４の上方の原稿読取位置Ｒに搬送する自動原稿搬送装置２０が設けられている。
【００３５】
さらに、プラテンガラス２４が嵌め込まれた画像読取装置本体１０Ａには、プラテンガラス２４に載せられた原稿シート材Ｐの画像情報と、自動原稿搬送装置２０によって原稿読取位置Ｒに搬送された原稿シート材Ｐの画像情報を読み取る読取ユニット１４が設けられている。なお、画像読取装置１０については詳細を後述する。
【００３６】
上記構成による画像形成装置１００では、次のようにして画像が形成される。
【００３７】
まず、電圧が印加された図示しない帯電器は、感光体ドラム１１０の表面を予定の電位で一様にマイナス帯電する。
【００３８】
続いて、画像読取装置１０によって読み取られた画像情報に基づいて露光装置１１２が帯電された感光体ドラム１１０の上に静電潜像を形成する。
【００３９】
すなわち、図示しない制御装置から供給される画像情報に基づき、露光装置１１２が発光するレーザービームをオン・オフすることによって画像情報に対応した静電潜像が感光体ドラム１１０上に形成される。さらに、この静電潜像は、現像装置１１４から供給されるトナーによってトナー像として可視化される。
【００４０】
そこで、給紙カセット１８に収納されたシート材Ｐが、ピックアップロール１３２によって順次取り出され、回転駆動する給紙ロール１２２と分離ロール２２によって、一枚ずつ搬送経路１０８に送り出される。さらに、シート材Ｐは、搬送ロール１０６によって挟持搬送されて感光体ドラム１１０と転写ロール１３０の間の画像形成部１１１を通り、トナー像がシート材Ｐに転写される。この転写されたトナー像は、定着装置１１６に備えられた加熱ロール１１６Ｈと加圧ロール１１６Ｎの間を通過することでシート材Ｐに定着され，排出ロール１１８によって排出トレイ１２６に排出される。
【００４１】
次に画像読取装置１０について詳細に説明する。
【００４２】
図２（Ａ）に示されるように、プラテンカバー２６の内部に設けられた自動原稿搬送装置２０（ＡＤＦ装置）には、プラテンカバー２６の上部に設けられた原稿トレイ４２に載せられた複数枚の原稿シート材Ｐを順次送り出すピックアップロール４４と、ピックアップロール４４によって順次取り出された原稿シート材Ｐを、一枚ずつ搬送させる給紙ロール４６と分離ロール４８が設けられている。
【００４３】
さらに、給紙ロール４６と分離ロール４８によって搬送経路７６に送り出された原稿シート材Ｐをプラテンガラス２４の上方の原稿読取位置Ｒを通過させる複数個の搬送ロール５０が設けられている。また、搬送経路７６の下流には、搬送された原稿シート材Ｐをプラテンガラス２４の上方に設けられた第２排出トレイ５２に排出する排出ロール５４が設けられている。
【００４４】
さらに、プラテンガラス２４の下側には、原稿シート材Ｐの画像情報をプラテンガラス２４の下面から読み取る読取ユニット１４が設けられている。シート材幅方向（図２紙面垂直方向）に延びる直方体状の読取ユニット１４の筐体１５の内部には、原稿シート材Ｐの画像面に防塵ガラス７４（図１参照）を通して光を当てる光源３０が設けられ、また、原稿シート材Ｐから反射された反射光を所定の位置へ反射させる平面ミラー３２、３４が設けられている。さらに、平面ミラー３２，３４で反射された光を光電変換素子３８に結像させる結像レンズ２８が設けられており、光電変換素子３８が結像された光を電気信号に変換し、読取回路基板５６を介して露光装置１１２へ画像情報を送る。
【００４５】
また、この読取ユニット１４をプラテンガラス２４に沿ってシート材長手方向（図２左右方向）に移動させる移動手段が設けられている。
【００４６】
図２（Ｂ）に示されるように、移動手段には、読取ユニット１４の移動領域の一端部に取り付けられ、正逆方向へ回転駆動する駆動プーリ７０と、この駆動プーリ７０と対向して移動領域の他端部に回転自在に取り付けられた従動プーリ７２が備えられている。また、駆動プーリ７０と従動プーリ７２に無端ベルト３６が巻き掛けられており、この無端ベルト３６には、図１に示されるように、読取ユニット１４の筐体１５の側面１５Ｂが連結手段としての２個の連結ブラケット４０を介して連結されている。
【００４７】
詳細には、図３（Ａ）（Ｂ）に示されるように、この連結ブラケット４０に設けられた台形状の突起部４０Ａが、側面１５Ｂの上下方向に延びる溝部１５Ｄに嵌めこまれており、連結ブラケット４０は、溝部１５Ｄ内を上下方向に移動可能に取り付けられている。また、筐体１５の側面１５Ｂには、矩形状の受部材６２が設けられており、この受部材６２と連結ブラケット４０は、上下に伸縮するバネ材としてのコイルスプリング６４で連結されている。
【００４８】
また、図１に示されるように、読取ユニット１４の移動方向に沿って、読取ユニット１４の側方に平板状のレール６８が設けられており、さらに、筐体１５の側面１５Ｂには、このレール６８上を走行する回転体としての回転ローラ６６が回転自在に取り付けられている。
【００４９】
この構成により、コイルスプリング６４は、受部材６２を介して読取ユニット１４に設けられた回転ローラ６６をレール６８に向って付勢するようになっており、回転ローラ６６がレール６８上を回転しながら読取ユニット１４が移動する構成になっている。なお、前述したレール６８及び回転ローラ６６等は、読取ユニット１４の両端部に設けられている。
【００５０】
さらに、自動原稿搬送装置２０（ＡＤＦ装置）によって原稿読取位置Ｒへ送られる原稿シート材Ｐを読み取る停止位置へ読取ユニット１４を持上げる持上手段としての停止レール部６０が、レール６８の端部に形成されている。停止レール部６０には、原稿読取位置Ｒとプラテンガラス２４の距離だけプラテンガラス２４側に接近した持上部６０Ａと、レール６８と持上部６０Ａを繋ぐ傾斜部６０Ｂが設けられている。自動原稿搬送装置２０（ＡＤＦ装置）によって原稿読取位置Ｒへ送られる原稿シート材Ｐを読み取る場合は、回転ローラ６６がこの傾斜部６０Ｂを上り、持上部６０Ａに達して停止した読取ユニット１４が原稿読取位置Ｒを通過した原稿シート材Ｐの画像情報を読み取るようになっている。
【００５１】
以上の構成により、プラテンガラス２４上に載せられた原稿シート材Ｐの画像情報を読み取る場合には、図４（Ｂ）に示されるように、先ず、プラテンカバー２６を開き、プラテンガラス２４の上に原稿シート材Ｐを載せて、図４（Ａ）に示すように、プラテンカバー２６を閉じて原稿シート材Ｐをプラテンガラス２４に押さえつける。
【００５２】
そして、図示しないスタートボタンを押すと、図２（Ａ）に示す読取ユニット１４は位置Ａから位置Ｂに向って移動しながら、原稿シート材Ｐの画像情報を読み取る。
【００５３】
詳細には、図１に示されるように、駆動プーリ７０をモータ（図示省略）の回転力で矢印Ｈ方向に回転させ、駆動プーリ７０と従動プーリ７２に巻き掛けられた無端ベルト３６を回転させる。これにより、無端ベルト３６に連結ブラケット４０を介して連結された読取ユニット１４が矢印Ｋ方向に移動する。
【００５４】
図２（Ａ）に示されるように、読取ユニット１４が移動する際に、原稿シート材Ｐの原稿面に光源３０からプラテンガラス２４を通して光を当て、下方に反射した反射光を平面ミラー３２で、平面ミラー３４に向って折り返し、平面ミラー３４は、反射光を平面ミラー３４に対して対向配置される光電変換素子３８に向けて反射する。この反射光は、平面ミラー３４と光電変換素子３８との光路中に設けられた結像レンズ２８を通って光電変換素子３８で結像し、光電変換素子３８は結像した光を電気信号に変換して読み取る。
【００５５】
なお、プラテンガラス２４上の原稿シート材Ｐの画像情報を読み終えると、駆動プーリ７０は、矢印Ｊ方向へ回転し、読取ユニット１４は、位置Ａ（図２参照）に復帰し次の動作に備える。
【００５６】
次に、自動原稿搬送装置２０（ＡＤＦ装置）によって原稿読取位置Ｒへ送られる原稿シート材Ｐの画像情報を読み取る場合には、先ず、図４（Ａ）に示すようにプラテンカバー２６を閉じて、原稿トレイ４２に原稿シート材Ｐを載せる。この原稿シート材Ｐは、ピックアップロール４４の手前に設けられたセンサ（図示省略）で検出され、自動原稿搬送装置２０へ原稿シート材Ｐがセットされたことを制御部へ送信する。そして、図示しないスタートボタンを押すと、図２（Ａ）に示されるように、読取ユニット１４が位置Ａから位置Ｃした後、原稿シート材Ｐは、原稿読取位置Ｒへ搬送される。
【００５７】
詳細には、図１に示されるように、駆動プーリ７０を矢印Ｊ方向に回転させ、これにより、駆動プーリ７０と従動プーリ７２に巻き掛けられた無端ベルト３６が回転し、無端ベルト３６に連結ブラケット４０を介して連結された読取ユニット１４を矢印Ｌ方向に移動させる。
【００５８】
これにより、読取ユニット１４の側面１５Ｂに設けられた回転ローラ６６が傾斜部６０Ｂを上ることで、連結ブラケット４０と受部材６２の間に設けられたコイルスプリング６４が図２（Ｂ）に示すように縮みながら読取ユニット１４が持ち上がる。そして、回転ローラ６６が持上部６０Ａに達して読取ユニット１４は位置Ｃへと移動する。
【００５９】
次に、原稿トレイ４２を図示せぬ昇降手段によって持ち上げて、載せられた最上部の原稿シート材Ｐをピックアップロール４４に押し当てる。そして、原稿シート材Ｐをピックアップロール４４によって順次取り出し、さらに、回転駆動する給紙ロール４６と分離ロール４８によって、一枚ずつ搬送経路７６に送り出す。送り出された原稿シート材Ｐは、搬送ロール５０によって原稿読取位置Ｒへ搬送される。そして、図示しないセンサで搬送されて来た原稿シート材Ｐの先端を検知したとき、読取ユニット１４の光源３０から光を原稿面に当て、下方に反射した反射光を平面ミラー３２で平面ミラー３４に向って折り返し、平面ミラー３４は、反射光を平面ミラー３４に対して対向配置される光電変換素子３８に向けて反射する。この反射光は、平面ミラー３４と光電変換素子３８との光路中に設けられた結像レンズ２８を通って光電変換素子３８で結像し、光電変換素子３８は結像した光を電気信号に変換して読み取る。
【００６０】
このように、自動原稿搬送装置２０によって原稿読取位置Ｒに送られてきた原稿シート材Ｐを読む場合、読取ユニット１４を持上げるため、平面ミラー３２、３４や結像レンズ２８等の光学系を調整して焦点距離を補正することなく原稿読取位置Ｒの画像情報を読み取ることができる。
【００６１】
また、連結ブラケット４０と受部材６２の間にコイルスプリング６４が配置されているため、読取ユニット１４の走行時の振動を吸収し、安定した状態で画像情報を読み取ることができる。
【００６２】
次に、第２実施形態の画像読取装置１０を備えた画像形成装置１００について図６、図７に従って説明する。
【００６３】
なお、第１実施形態と同一部材については、同一符号を付してその説明を省略する。
【００６４】
図６、に示されるように、この実施形態では、レール８０の端部には、停止レール部６０（図１参照）は、設けられておらず、それに替えて、読取ユニット１４の側面１５Ｂには、駆動手段としてのモータ５８で回転するカム８２が設けられている。このカム８２の縁部８２Ａは、レール８０の上面に沿って走行するようになっており、プラテンガラス２４上の原稿シート材Ｐを読み取る場合には、カム８２の長手方向を水平方向に向けるようになっている。さらに、自動原稿搬送装置２０によって原稿読取位置Ｒに送られた原稿シート材Ｐを読み取る場合には、図７（Ａ）（Ｂ）に示されるように、カム８２の長手方向を垂直方向に向けるように、モータ５６がカム８２を回転し、読取ユニット１４を持ち上げる構成となっている。
【００６５】
このように、カム８２を回転させてその場で読取ユニット１４を持上げることができるため、レール８０にスロープを設ける必要が無く、画像形成装置１００を小型化することができる。
【００６６】
次に、第３実施形態の画像読取装置１０を備えた画像形成装置１００について図８、図９、図１０に従って説明する。
【００６７】
なお、第１実施形態と同一部材については、同一符号を付してその説明を省略する。
【００６８】
図８、図１０に示されるように、この実施形態では、レール８０の端部には、停止レール部６０（図１参照）は、設けられておらず、原稿読取位置Ｒの下方に、シート材Ｐの幅方向から見てＬ字状の持上部材９０が設けられている。
【００６９】
持上部材９０は、画像読取装置本体１０Ａに回転軸９０Ａで回転可能に取り付けられており、移動してきた読取ユニット１４の前面板１５Ｇに押圧される回動アーム９０Ｂと、この回動アーム９０Ｂの下端部に連結され、回動アーム９０Ｂが回動すると一緒に回動して読取ユニット１４の底板１５Ｈに当り、読取ユニット１４を持上げる持上アーム９０Ｃとを備えている。
【００７０】
詳細には、図９（Ｂ）に示されるように、プラテンガラス２４上の原稿シート材Ｐを読み取る位置から駆動プーリ７０（図８参照）の駆動力で移動してきた読取ユニット１４の前面板１５Ｇが持上部材９０の回動アーム９０Ｂを押圧する。これにより、回動アーム９０Ｂは、回転軸９０Ａを中心に矢印Ｍ方向に回動する。これにより、回動アーム９０Ｂに連結された持上アーム９０Ｃも矢印Ｍ方向に回動し、持上アーム９０Ｃの先端部が読取ユニット１４の底板１５Ｈに当り、図９（Ａ）に示されるように、持上アーム９０Ｃが読取ユニット１４を持上げる。
【００７１】
なお、プラテンガラス２４上の原稿シート材Ｐを読みに行くときは、持上部材９０が逆に回転し、読取ユニット１４は元の高さに復帰する。
【００７２】
このように、無端ベルトの回転力を利用して読取ユニット１４を持上げることができるため、別途専用の駆動手段を必要としない。
【図面の簡単な説明】
【００７３】
【図１】本発明の第１実施形態に係る読取ユニット、駆動プーリ、及び支持レール等を示した斜視図である。
【図２】（Ａ）本発明の第１実施形態に係る画像読取装置を示し、読取ユニットの内部を見えるように現した側面図である。（Ｂ）本発明の第１実施形態に係る画像読取装置を示し、読取ユニットの側端部とレールの関係を分かるように現した側面図である。
【図３】（Ａ）本発明の第１実施形態に係る連結ブラケット等を示した斜視図である。（Ｂ）本発明の第１実施形態に係る連結ブラケット等を示した断面図である。
【図４】（Ａ）本発明の第１実施形態に係る画像形成装置を示し、プラテンカバーが閉じた状態の斜視図である。（Ｂ）本発明の第１実施形態に係る画像形成装置を示し、プラテンカバーが開いた状態の斜視図である。
【図５】本発明の第１実施形態に係る画像形成装置を示した概略構成図である。
【図６】本発明の第２実施形態に係る読取ユニット、駆動プーリ、及び支持レール等を示した斜視図である。
【図７】（Ａ）本発明の第２実施形態に係る画像読取装置を示し、読取ユニットの内部を見えるように現した側面図である。（Ｂ）本発明の第２実施形態に係る画像読取装置を示し、読取ユニットの側端部とレールの関係を分かるように現した側面図である。
【図８】本発明の第３実施形態に係る読取ユニット、駆動プーリ、及び支持レール等を示した斜視図である。
【図９】（Ａ）本発明の第３実施形態に係る読取ユニットを示し、読取ユニットが回動アームと当ったところを示した側面図である。（Ｂ）本発明の第３実施形態に係る読取ユニットを示し、読取ユニットが持上アームに持上げられた状態を示した側面図である。
【図１０】（Ａ）本発明の第３実施形態に係る画像読取装置を示し、読取ユニットの内部を見えるように現した側面図である。（Ｂ）本発明の第３実施形態に係る画像読取装置を示し、読取ユニットの側端部とレールの関係を分かるように現した側面図である。
【符号の説明】
【００７４】
１０        画像読取装置
１４        読取ユニット
１５Ｈ      底板（底面）
２０        自動原稿搬送装置（原稿搬送装置）
２４        プラテンガラス（ガラス板）
２６        プラテンカバー（原稿押圧部材）
３６        無端ベルト
４０        連結ブラケット（連結手段）
５８        モータ（駆動手段）
６０        停止レール部
６４        コイルスプリング（バネ材）
６６        回転ローラ（回転体）
６８        レール
７０        駆動プーリ
７２        従動プーリ
８０        レール
８２        カム
９０        持上部材（持上手段）
９０Ｂ      回動アーム
９０Ｃ      持上アーム
１００      画像形成装置
【図１】
2008124623.tif 000003
【図２】
2008124623.tif 000004
【図３】
2008124623.tif 000005
【図４】
2008124623.tif 000006
【図５】
2008124623.tif 000007
【図６】
2008124623.tif 000008
【図７】
2008124623.tif 000009
【図８】
2008124623.tif 000010
【図９】
2008124623.tif 000011
【図１０】
2008124623.tif 000012